(57)【要約】      （修正有）【課題】デジタル放送の視聴中に、通信回線による通信が可能か否かを容易、かつ確実にユーザに認識させることができる携帯通信端末を提供する。【解決手段】通信回線に無線により接続してデータを送受信する無線通信手段1,2と、番組映像およびデータ放送を含むデジタル放送を受信する放送受信手段3〜9と、通信圏内にあるか否かを判別する通信圏内判別手段17と、映像表示領域、データ放送表示領域、ソフトキー表示領域を有する表示手段12と、少なくとも通信圏内判別手段17による判別結果に基づいてデータ放送表示領域および／またはソフトキー表示領域の表示を制御する表示制御手段11と、アクセス要求検出手段15と、アクセス要求検出手段15による検出結果に基づいて無線通信手段を制御する無線通信制御手段18とを備える。【選択図】図１
2007295550.tif 000002
【特許請求の範囲】
【請求項１】
通信回線に無線により接続してデータを送受信する無線通信手段と、
番組映像およびデータ放送を含むデジタル放送を受信する放送受信手段と、
前記無線通信手段が通信圏内にあるか否かを判別する通信圏内判別手段と、
前記放送受信手段で受信した前記番組映像を表示する映像表示領域、前記データ放送を表示可能なデータ放送表示領域、およびソフトキーを表示するソフトキー表示領域を有する表示手段と、
少なくとも前記通信圏内判別手段による判別結果に基づいて前記データ放送表示領域および／またはソフトキー表示領域の表示を制御する表示制御手段と、
前記通信回線へのアクセス要求を検出するアクセス要求検出手段と、
前記アクセス要求検出手段による検出結果に基づいて前記無線通信手段を制御する無線通信制御手段と、
を備えることを特徴とする携帯通信端末。
【請求項２】
前記表示制御手段は、
前記データ放送表示領域および／または前記ソフトキー表示領域の輪郭の表示を制御することを特徴とする請求項１に記載の携帯通信端末。
【請求項３】
前記表示制御手段は、
前記通信圏内判別手段が通信圏内にないと判別したとき、前記通信圏内判別手段が通信圏内にあると判別したときよりも輝度を低下させるように表示を制御することを特徴とする請求項１または２に記載の携帯通信端末。
【請求項４】
前記表示制御手段は、
前記通信圏内判別手段が通信圏内にあると判別したときはカラー表示し、前記通信圏内判別手段が通信圏内にないと判別したときは白黒表示するように表示を制御することを特徴とする請求項１または２に記載の携帯通信端末。
【請求項５】
前記無線通信制御手段は、
前記通信圏内判別手段による判別結果を監視し、前記無線通信手段が通信圏内にない状態で前記アクセス要求検出手段が前記アクセス要求を検出したときは、当該アクセス要求を選択的に予約し、前記無線通信手段が通信圏内に入った状態で前記無線通信手段を介して前記予約されたアクセス要求を選択的に実行することを特徴とする請求項１乃至４のいずれか一項に記載の携帯通信端末。
【請求項６】
前記無線通信制御手段は、
前記無線通信手段が通信圏内にない状態で前記アクセス要求検出手段が前記アクセス要求を検出したときは、前記表示制御手段により前記データ放送表示領域に前記アクセス要求の予約の可否を示すポップアップ画面を表示させるとともに、前記ソフトキー表示領域に前記アクセス要求の予約の可否を選択するソフトキーを表示させて、前記ソフトキーの操作に基づいて前記アクセス要求を選択的に予約することを特徴とする請求項５に記載の携帯通信端末。
【請求項７】
前記無線通信制御手段は、
前記無線通信手段が通信圏内に入った状態で、前記予約されたアクセス要求があるときは、前記表示制御手段により前記データ放送表示領域に当該予約の実行の可否を示すポップアップ画面を表示させるとともに、前記ソフトキー表示領域に当該予約の実行を選択するソフトキーを表示させて、前記ソフトキーの操作に基づいて前記予約されたアクセス要求を選択的に実行することを特徴とする請求項５または６に記載の携帯通信端末。
【請求項８】
前記表示制御手段は、
前記通信圏内判別手段が通信圏内にないと判別したとき、前記データ放送表示領域に前記データ放送の表示に代えて前記通信回線に接続できない旨を示すポップアップ画面を表示することを特徴とする請求項１に記載の携帯通信端末。
【発明の詳細な説明】
【技術分野】
【０００１】
本発明は、番組映像およびデータ放送を含むデジタル放送を視聴する携帯通信端末、特に地上デジタル放送の携帯向けサービスである、いわゆる１セグ放送を視聴する携帯通信端末に関するものである。
【背景技術】
【０００２】
近年、地上デジタル放送の１セグ放送を視聴する携帯通信端末が種々試作され、発表されている。この種の携帯通信端末では、液晶表示デバイス（ＬＣＤ）からなる表示画面に、上部から下部に向かって、ピクト領域、映像表示領域、データ放送表示領域、ソフトキー表示領域を設定して、ピクト領域には、電池残量を示す電池マーク、通信回線における受信信号の電界強度を示すアンテナマーク（「圏外」の表示文字を含む）、現在時刻等を表示し、映像表示領域およびデータ放送表示領域には、地上デジタル放送（１セグ放送）を受信して得られる番組映像およびデータ放送をそれぞれ表示し、ソフトキー表示領域には、端末に設けられている操作キーの機能の割り当てを示すソフトキーを表示するようにしている。
【０００３】
ここで、データ放送表示領域に表示されるデータ放送からリンクが貼られた情報サイトにアクセスするには、一般には、ユーザによる端末操作によってデータ放送表示領域内でフォーカス移動やスクロールにより所望の内容やＵＲＩを選択し、その時点で通信回線に接続できる場合には、通信回線を経由してＢＭＬコンテンツに遷移したり、携帯電話サイトのホームページに接続したりして選択したコンテンツを表示し、通信回線に接続できない場合には、表示画面に回線接続ができない旨のメッセージを表示してユーザに通知するようにしている。
【０００４】
すなわち、図１４にフローチャートを示すように、地上デジタル放送視聴中に（ステップＳ１４０１）、データ放送表示領域内のリンクが選択されたら（ステップＳ１４０２）、通信回線に接続可能か否かを判断し（ステップＳ１４０３）、接続可能（Ｙｅｓ）であれば通信回線経由で選択したコンテンツを表示し（ステップＳ１４０４）、接続不可能（Ｎｏ）であれば通信回線に接続できない旨を画面表示することによりユーザに報知して（ステップＳ１４０５）、ステップＳ１４０２に移行するようにしている。
【０００５】
また、キー操作を実施する前に通信回線への接続が可能であるか否かをユーザが確認するには、表示画面の最上部のピクト領域に表示されるアンテナマークを参照して判断するようにしている。
【０００６】
なお、通信回線における受信信号の電界強度を容易に認識できるようにするために、表示画面の所定の位置を受信信号の電界強度に応じた色でカラー表示するようにしたものや（例えば、特許文献１参照）、無線ＬＡＮを介してネットワークに接続される車載端末装置において、メニュー画面に含まれるリンク情報に対応するリンク先への接続操作性を向上するために、メニュー画面の表示処理と並行して、バックグランド処理によって各リンク情報に対応するリンク先の接続の可否や通信速度の確認等を実際の通信動作を通じて調査し、その結果をメニュー画面に表示するようにしたもの（例えば、特許文献２参照）が知られているが、これらの文献には地上デジタル放送における双方向通信については、何ら言及されていない。
【特許文献１】特開２００２−３５３８２６号公報
【特許文献２】特開２００４−３０３１９９号公報
【発明の開示】
【発明が解決しようとする課題】
【０００７】
しかしながら、図１４に示したアクセス方法を実施する従来の携帯通信端末にあっては、ユーザは端末操作により通信回線への接続を試みた後に、接続不可能である場合にはその状況を知ることになり、その場合は、しばらく時間が経過した後に再度同じ端末操作を実施して通信回線への接続を試みる等、通信回線に接続されるまで同じ端末操作を繰り返すことになる。このため、通信回線への接続が困難である環境が一時的で短時間であれば特に問題ないが、長時間継続する場合は操作が非常に煩わしくなる。
【０００８】
このような煩わしさを受けないようにするには、ピクト領域に表示されているアンテナマークによって通信回線に接続可能か否かを確認してから端末操作を実施すれば良いが、ピクト領域とデータ放送表示領域とは画面上で離れており、それらの間には映像表示領域があるため、アンテナマークが見難く、特に動画等の放送コンテンツの視聴中は、アンテナマークの変化に気付かないことが多い。
【０００９】
また、データ放送表示画面からのアクセスが通信回線を経由するもので、アンテナマークがその指標となっていることを知らないユーザも多く見られる。すなわち、地上デジタル放送の受信機能を搭載した携帯通信端末は、放送と通信とを融合させた新しい形でのサービスを提供するものであるが、日常で使用するユーザにとっては、どこまでが放送でどこからが通信であるかの意識はなく、携帯通信端末トータルのサービスとして利用することになる。このため、放送の視聴中、通信を行う際に、ユーザが画面上部にあるピクト領域のアンテナマークで電波状態を確認することは期待できない。
【００１０】
したがって、かかる事情に鑑みてなされた本発明の目的は、デジタル放送の視聴中に、通信回線による通信が可能か否かを容易に、しかも確実にユーザに認識させることができる携帯通信端末を提供することにある。
【課題を解決するための手段】
【００１１】
上記の目的を達成する請求項１に係る携帯通信端末の発明は、
通信回線に無線により接続してデータを送受信する無線通信手段と、
番組映像およびデータ放送を含むデジタル放送を受信する放送受信手段と、
前記無線通信手段が通信圏内にあるか否かを判別する通信圏内判別手段と、
前記放送受信手段で受信した前記番組映像を表示する映像表示領域、前記データ放送を表示可能なデータ放送表示領域、およびソフトキーを表示するソフトキー表示領域を有する表示手段と、
少なくとも前記通信圏内判別手段による判別結果に基づいて前記データ放送表示領域および／またはソフトキー表示領域の表示を制御する表示制御手段と、
前記通信回線へのアクセス要求を検出するアクセス要求検出手段と、
前記アクセス要求検出手段による検出結果に基づいて前記無線通信手段を制御する無線通信制御手段と、
を備えることを特徴とするものである。
【００１２】
請求項２に係る発明は、請求項１に記載の携帯通信端末において、
前記表示制御手段は、
前記データ放送表示領域および／または前記ソフトキー表示領域の輪郭の表示を制御することを特徴とするものである。
【００１３】
請求項３に係る発明は、請求項１または２に記載の携帯通信端末において、
前記表示制御手段は、
前記通信圏内判別手段が通信圏内にないと判別したとき、前記通信圏内判別手段が通信圏内にあると判別したときよりも輝度を低下させるように表示を制御することを特徴とするものである。
【００１４】
請求項４に係る発明は、請求項１または２に記載の携帯通信端末において、
前記表示制御手段は、
前記通信圏内判別手段が通信圏内にあると判別したときはカラー表示し、前記通信圏内判別手段が通信圏内にないと判別したときは白黒表示するように表示を制御することを特徴とするものである。
【００１５】
請求項５に係る発明は、請求項１乃至４のいずれか一項に記載の携帯通信端末において、
前記無線通信制御手段は、
前記通信圏内判別手段による判別結果を監視し、前記無線通信手段が通信圏内にない状態で前記アクセス要求検出手段が前記アクセス要求を検出したときは、当該アクセス要求を選択的に予約し、前記無線通信手段が通信圏内に入った状態で前記無線通信手段を介して前記予約されたアクセス要求を選択的に実行することを特徴とするものである。
【００１６】
請求項６に係る発明は、請求項５に記載の携帯通信端末において、
前記無線通信制御手段は、
前記無線通信手段が通信圏内にない状態で前記アクセス要求検出手段が前記アクセス要求を検出したときは、前記表示制御手段により前記データ放送表示領域に前記アクセス要求の予約の可否を示すポップアップ画面を表示させるとともに、前記ソフトキー表示領域に前記アクセス要求の予約の可否を選択するソフトキーを表示させて、前記ソフトキーの操作に基づいて前記アクセス要求を選択的に予約することを特徴とするものである。
【００１７】
請求項７に係る発明は、請求項５または６に記載の携帯通信端末において、
前記無線通信制御手段は、
前記無線通信手段が通信圏内に入った状態で、前記予約されたアクセス要求があるときは、前記表示制御手段により前記データ放送表示領域に当該予約の実行の可否を示すポップアップ画面を表示させるとともに、前記ソフトキー表示領域に当該予約の実行を選択するソフトキーを表示させて、前記ソフトキーの操作に基づいて前記予約されたアクセス要求を選択的に実行することを特徴とするものである。
【００１８】
請求項８に係る発明は、請求項１に記載の携帯通信端末において、
前記表示制御手段は、
前記通信圏内判別手段が通信圏内にないと判別したとき、前記データ放送表示領域に前記データ放送の表示に代えて前記通信回線に接続できない旨を示すポップアップ画面を表示することを特徴とするものである。
【発明の効果】
【００１９】
本発明によると、デジタル放送の視聴中、無線通信手段が通信圏内にあるか否かに応じて、データ放送表示領域および／またはソフトキー表示領域の表示が制御されるので、その表示から、ユーザに対して通信回線による通信が可能か否かを一目で、容易かつ確実に認識させることが可能となる。
【発明を実施するための最良の形態】
【００２０】
以下、本発明の実施の形態について、図を参照して説明する。
【００２１】
（第１実施の形態）
図１は、本発明の第１実施の形態に係る携帯通信端末の要部の回路構成を示すブロック図である。
【００２２】
この携帯通信端末は、無線通信手段を構成する通信回線用のアンテナ部１および無線部２と、地上デジタル放送を受信する放送受信手段を構成する放送用のアンテナ部３、チューナ部４、トランスポートストリーム（ＴＳ）パケットの取り出しを行う復調部５、取り出したＴＳパケットを分離する分岐部６、分岐部６で分離されたＴＳパケットの処理を実行する音声処理部７、映像処理部８、データ処理部９とを有しており、音声処理部７にはスピーカ１０が接続され、映像処理部８およびデータ処理部９には表示制御手段を構成する表示制御部１１を介して表示手段を構成する表示部１２が接続されている。
【００２３】
さらに、出力制御データ等の各種データを格納する記憶部１３、携帯通信端末の操作を行う操作キー部１４、ユーザのキー操作による通信回線への接続要求（アクセス要求）を検出するアクセス要求検出手段を構成するアクセス要求検出部１５を有しているとともに、携帯通信端末全体を制御する制御部１６を有している。
【００２４】
本実施の形態では、制御部１６に、無線部２での受信信号の電界強度に基づいて無線通信手段が通信圏内にあるか否か、すなわち当該携帯通信端末が通信圏内にあるか否かを判別する通信圏内判別手段１７や、アクセス要求検出部１５でのアクセス要求の検出結果に基づいて無線部２によるデータの送受信を制御する無線通信制御手段１８を内蔵させている。
【００２５】
また、表示部１２は、例えば有機ＥＬからなる自発光表示デバイスをもって構成され、地上デジタル放送（１セグ放送）の視聴状態では、図２に示すように、表示画面２１の上部から下部に向かって、ピクト領域２２、映像表示領域２３、データ放送表示領域２４、ソフトキー表示領域２５を設定して、ピクト領域２２に、電池残量を示す電池マーク３１、通信回線における受信信号の電界強度を示すアンテナマーク３２（「圏外」の表示文字を含む）、現在時刻３３等を表示し、映像表示領域２３には映像処理部８からの番組映像を表示し、データ放送表示領域２４にはデータ処理部９からのデータ放送を表示し、ソフトキー表示領域２５には、操作キー部１４に設けられている所定キーの機能の割り当てを示すソフトキーを表示するようになっている。
【００２６】
本実施の形態では、地上デジタル放送の視聴中、通信圏内判別手段１７による判別結果に基づいて表示制御部１１によりデータ放送表示領域２４の表示輝度を制御して、今現在、データ放送画面からのアクセスが可能であるか否かを常にユーザに報知する。
【００２７】
以下、本実施の形態の要部の動作について、図３に示すフローチャートを参照しながら説明する。
【００２８】
先ず、地上デジタル放送のテレビアプリが起動されて地上デジタル放送視聴中となったら（ステップＳ１）、通信圏内判別手段１７による判別結果から通信回線に接続可能な状態か否かを判別し（ステップＳ２）、接続可能（Ｙｅｓ）の場合には、表示制御部１１により図２に示したように表示画面２１全体を通常輝度で表示し（ステップＳ３）、接続が不可能（Ｎｏ）の場合には、接続可能な状態となるまで、表示制御部１１により図４に示すようにデータ放送表示領域２４のデータ放送画面のみを通常輝度よりも低輝度で表示する（ステップＳ４）。なお、階調情報については、放送事業者の意図をできる限り正確にユーザに伝えるため保持したままとする。
【００２９】
また、ステップＳ３において、表示画面２１全体が通常輝度で表示されている状態で、リンクが選択されたら（ステップＳ５）、通信回線経由で選択したコンテンツを表示する（ステップＳ６）。
【００３０】
このように、本実施の形態では、地上デジタル放送の視聴中、通信回線に接続可能であれば表示画面２１全体を通常輝度で表示し、接続不可能であればデータ放送表示領域２４におけるデータ放送画面のみの表示輝度を、通常輝度よりも低輝度で表示するようにしたので、ユーザはキー操作を実施することなく、データ放送画面を見ながらその表示輝度からリンクにアクセスできるか否かを一目で、容易かつ確実に認識することができる。したがって、特に、接続が不可能な圏外エリアから、通信可能エリアに移動した場合は、データ放送画面の表示輝度が低輝度から通常輝度へと高くなるので、ユーザに対して瞬時にその変化を認識させることができ、リンクへのアクセス操作を促すことが可能となる。
【００３１】
また、通信回線に接続不可能な場合でも、データ放送画面を低輝度表示することにより、ユーザはデータ放送の内容を確認できるため、放送全体としての意図を損なうことなく、リンクへのアクセスの可否を伝えることが可能となる。また、このように通信回線への接続不可能状態では、データ放送画面の表示輝度を低輝度とすることにより、端末全体としての消費電力を低減することができ、電池寿命を延ばすことが可能となる。
【００３２】
なお、本実施の形態では、通信回線に接続できない場合には、図４に示したようにデータ放送表示領域２４のデータ放送画面全体を通常輝度よりも低輝度で表示するようにしたが、図５に示すように、カーソル等にて選択可能な部分（ＵＲＩ表示や回答ボタン類）、すなわち通信発生のトリガとなる部分のみを低輝度で表示するようにすることもできる。このようにすれば、データ放送画面に記載のリンクが現在利用できないことを、より視覚的にユーザに伝えることができるので、携帯通信端末に慣れていない初心者やお年寄りにもより容易にかつ確実に通信回線状態を認識させることが可能となる。
【００３３】
（第２実施の形態）
図６は、本発明の第２実施の形態に係る携帯通信端末による画面表示例を示すものである。
【００３４】
本実施の形態は、第１実施の形態において、地上デジタル放送の視聴中、通信回線に接続不可能な場合には、データ放送表示領域２４の輪郭（フレーム）２４ａのみを低輝度で表示するようにしたものである。
【００３５】
したがって、本実施の形態によれば、データ放送表示領域２４の輪郭２４ａの表示状態によってリンクにアクセスできるか否かを一目で、容易かつ確実に認識することができるとともに、通信回線に接続不可能な場合でも、データ放送の主要部分の画面は常に通常輝度で表示されるので、ユーザにおいてはデータ放送が見易くなる利点がある。
【００３６】
（第３実施の形態）
図７は、本発明の第３実施の形態に係る携帯通信端末の要部の回路構成を示すブロック図である。
【００３７】
本実施の形態は、第１実施の形態において、通信圏内判別手段１７が通信圏内にあると判別したときは、データ放送表示領域２４におけるデータ放送画面をカラー表示し、通信圏内にないと判別したときは、データ放送表示領域２４におけるデータ放送画面を白黒表示するようにしたものである。
【００３８】
このため、本実施の形態では、制御部１６にデータ放送の色構成を判断する白黒判定手段１９を内蔵させて、地上デジタル放送の視聴中に、データ放送がカラー画像か否かを監視する。また、記憶部１３には、白黒のデータ放送画像を着色して表示する際の色情報を格納しておく。
【００３９】
このようにして、地上デジタル放送の視聴中に、白黒判定手段１９によりデータ放送がカラー画像と判定された場合には、通信圏内判別手段１７による判別結果に基づいて、通信回線に接続可能であれば表示制御部１１を介してデータ放送をそのままカラー画像としてデータ放送表示領域２４に表示し、通信回線に接続不可能であれば表示制御部１１でデータ放送を白黒画像に変換してデータ放送表示領域２４に表示する。
【００４０】
また、白黒判定手段１９によりデータ放送が白黒画像と判定された場合には、通信圏内判別手段１７による判別結果に基づいて、通信回線に接続可能であれば、記憶部１３に予め記憶した色情報に基づいて表示制御部１１においてデータ放送をカラー画像に変換してデータ放送表示領域２４に表示し、通信回線に接続不可能であれば表示制御部１１を介してデータ放送をそのまま白黒画像としてデータ放送表示領域２４に表示する。
【００４１】
なお、データ放送の白黒表示は、第１実施の形態で説明したように、データ放送表示領域２４のデータ放送画面全体でも良いし、カーソル等にて選択可能な通信発生のトリガとなる部分のみであっても良い。
【００４２】
ここで、白黒判定手段１９によって画像を判定するにあたっては、公知のように、先ず、データ放送画像（画面）を構成する色Ｒ（赤）、Ｇ（緑）、Ｂ（青）を、下記の式に従って、色相（ｈｕｅ）、彩度（ｓａｔｕｒａｔｉｏｎ）、輝度（ｖａｌｕｅ）の色空間に変換する。
【００４３】
Ｈ＝ｔａｎ−１｛（Ｇ−Ｂ）／（２Ｒ−Ｇ−Ｂ）｝
Ｓ＝｛（Ｂ−Ｒ）２＋（Ｒ−Ｇ）２＋（Ｇ−Ｂ）２｝／３
Ｖ＝（Ｒ＋Ｇ＋Ｂ）
次に、画面を構成する色の彩度が白黒判定閾値以下であるか否かを判定し、その後、面積比にして一定割合（例えば、９割）以上の色が白黒判定閾値以下である場合には、このデータ放送を白黒画像と判定する。
【００４４】
また、白黒画像と判定されたデータ放送を、カラー画像に変換して表示する場合には、公知のように、先ず、彩度をα倍する（例えば、彩度の最大値＝１．５に対して、白黒判定閾値＝０．１と仮定した場合には、α＝１．５／０．１とする）。この状態で、白黒判定を行い、画面が白黒と判定された場合には、さらに彩度をα倍して、白黒画面と判定されないまで繰り返す。その後、下記の式に従って、ＨＳＶ−ＲＧＢ変換を行ってＲＧＢのカラー画像に変換して表示する。なお、彩度が「０」の場合には、輝度（Ｖ）に応じたカラーテーブルに基づいて着色する。
【００４５】
Ｒ＝Ｖ／３＋２Ｓｃｏｓ（Ｈ／６）
Ｇ＝Ｖ／３−Ｓｃｏｓ（Ｈ／６）＋Ｓｓｉｎ（Ｈ／２）
Ｂ＝Ｖ／３−Ｓｃｏｓ（Ｈ／６）−Ｓｓｉｎ（Ｈ／２）
その他の構成および動作は、第１実施の形態と同様であるので、ここでは説明を省略する。
【００４６】
このように、本実施の形態では、地上デジタル放送の視聴中、通信回線に接続可能であればデータ放送画面をカラー表示し、接続不可能であればデータ放送画面を白黒表示するようにしたので、ユーザはキー操作を実施することなく、データ放送画面の色からリンクにアクセスできるか否かを一目で、容易かつ確実に認識することができる。
【００４７】
なお、本実施の形態では、データ放送画面をカラーまたは白黒で選択的に表示するので、好ましくは、表示部１２をＲＧＢの３色にＷ（白）を加えた４色からなる自発光表示デバイスで構成する。すなわち、ＲＧＢの３色の自発光表示デバイスで白黒表示を実現するには、従来通りＲＧＢ全ての素子を点灯しながら各素子の輝度を制御することになるため、大幅な省電力化が期待できない。これに対し、ＲＧＢＷの４色の自発光表示デバイスを用いれば、白黒表示の際は、ＲＧＢの３色の素子は消灯し、Ｗ１色の素子のみを点灯させれば済むので、消費電力を大幅に低減することが可能となる。
【００４８】
（第４実施の形態）
図８は、本発明の第４実施の形態に係る携帯通信端末による画面表示例を示すものである。
【００４９】
本実施の形態は、図１に示した構成において、所定時間内に通信圏内判別手段１７により通信圏外が断続的に判別される場合、すなわち通信回線への接続が不安定状態にある場合に、表示制御部１１によりデータ放送表示領域２４を規則的にゆっくりと点滅させるようにしたものである。なお、図８では、データ放送表示領域２４の点滅状態を模式的に示している。
【００５０】
ここで、通信回線の不安定状態は、例えば、制御部１６の内蔵タイマを用い、通信圏内判別手段１７により所定時間内における通信圏内から通信圏外への遷移の判別回数を計数して、その計数値が設定値を超えたときに不安定状態として検出する。
【００５１】
このように、通信圏内判別手段１７による判別結果に基づいて、通信回線への接続が不安定状態にある場合に、データ放送表示領域２４を規則的にゆっくりと点滅させれば、ユーザに対して通信回線への接続が不安定状態にあるのを容易かつ確実に認識させることができるとともに、通信回線への不安定な接続可否に応じて不規則に表示を制御する場合と比較して、ユーザへの不快感を低減することができる。
【００５２】
（第５実施の形態）
図９（ａ）〜（ｄ）は、本発明の第５実施の形態に係る携帯通信端末による画面表示例を示すものである。
【００５３】
本実施の形態は、上述した実施の形態において、無線通信制御手段１８により通信圏内判別手段１７による判別結果を監視し、通信圏内にない状態でアクセス要求検出部１５がアクセス要求を検出したときは、当該アクセス要求を選択的に予約し、通信圏内に入った状態で予約されたアクセス要求を選択的に実行するようにしたものである。
【００５４】
このため、本実施の形態では、図９（ａ）に示すように、通信圏外にあってデータ放送表示領域２４が、例えば第１実施の形態で説明したように低輝度で表示されている状態でアクセス要求が検出された場合には、図１に示す構成において、表示制御部１１により、図９（ｂ）に示すように、データ放送表示領域２４に通信回線に接続できない旨およびキー操作したアクセス要求の予約の可否を示すポップアップ画面を表示するとともに、ソフトキー表示領域２５に予約の可否を選択する「ＹＥＳ」および「ＮＯ」のソフトキーを表示して、ソフトキーに対応する所定のキー操作をユーザに促して、アクセス要求の予約の可否を選択させる。
【００５５】
ここで、アクセス要求の予約が選択された場合には、そのアクセス要求を記憶部１３に格納し、その後、通信回線に接続できる状態になって、図９（ｃ）に示すようにデータ放送表示領域２４が通常の表示輝度に戻ったら、その時点で通信回線に接続できる旨をスピーカ１０から音声により報知したり、表示制御部１１により画面全体をフラッシュ表示することにより報知し、その後、図９（ｄ）に示すように、表示制御部１１によりデータ放送表示領域２４に通信回線に接続できる旨および予約実行の可否を示すポップアップ画面を表示するとともに、ソフトキー表示領域２５に予約実行の可否を選択する「ＹＥＳ」および「ＮＯ」のソフトキーを表示して、ソフトキーに対応する所定のキー操作をユーザに促して、予約実行の可否を選択させる。
【００５６】
図１０は、本実施の形態において、アクセス要求を予約した場合の動作を示すフローチャートである。
【００５７】
先ず、ステップＳ１１において、通信回線の切断状態でアクセス要求の予約を行ったら、そのアクセス要求であるデータ放送の情報を記憶部１３に記憶する（ステップＳ１２）。その後、環境が変化して通信回線への接続が可能となったら（ステップＳ１３）、現在のデータ放送の内容と既に記憶部１３に記憶して予約したデータ放送の内容とを比較し（ステップＳ１４）、内容が同じであれば、ユーザの意思を確認して予約した通信回線に接続する（ステップＳ１５）。
【００５８】
一方、ステップＳ１４において、現在のデータ放送の内容と予約したデータ放送の内容とが異なる場合は、予約を優先させて記憶したデータ放送の内容が現在も有効であるか否かを判断し（ステップＳ１６）、有効時間内であればステップＳ１５に移行してユーザの意思を確認して予約した通信回線に接続し、有効時間外であれば画面へのポップアップ等により予約した内容が現在無効であることをユーザに伝えて予約をキャンセルする（ステップＳ１７）。
【００５９】
このように、本実施の形態では、通信圏内にない状態でのアクセス要求を予約可能として、その予約したアクセス要求を通信圏内に入った状態で実行可能としたので、通信圏内に入るのを待つことなく、通信圏外にあるのを認識しながらアクセス操作を行うことができ、ユーザによる使い勝手を向上することができる。
【００６０】
（第６実施の形態）
図１１は、本発明の第６実施の形態に係る携帯通信端末による画面表示例を示すものである。
【００６１】
本実施の形態は、上述した実施の形態において、通信回線への接続状態でユーザがデータ放送画面を操作中に、通信圏内判別手段１７により通信圏内にないと判別された場合に、表示制御部１１により、データ放送表示領域２４に通信回線が切断された旨および切断時点でのアクセス要求の予約の可否を示すポップアップ画面を表示するとともに、ソフトキー表示領域２５に予約の可否を選択する「ＹＥＳ」および「ＮＯ」のソフトキーを表示して、ソフトキーに対応する所定のキー操作をユーザに促して、アクセス要求の予約の可否を選択させる。
【００６２】
ここで、アクセス要求の予約が選択された場合には、第５実施の形態の場合と同様にして、そのアクセス要求を記憶部１３に格納して、その後、通信回線に接続できる状態になったら、その時点で通信回線に接続できる旨を音声や画面全体のフラッシュ表示によりユーザに報知して、表示制御部１１により図９（ｄ）に示したように、データ放送表示領域２４に通信回線に接続できる旨および予約実行の可否を示すポップアップ画面を表示するとともに、ソフトキー表示領域２５に予約実行の可否を選択する「ＹＥＳ」および「ＮＯ」のソフトキーを表示して、ソフトキーに対応する所定のキー操作をユーザに促して、予約実行の可否を選択させる。
【００６３】
したがって、本実施の形態において、アクセス要求を予約した場合の動作は、図１０に示したフローチャートと同様となる。
【００６４】
このように、本実施の形態では、通信回線に接続してデータ放送画面を操作している途中に通信圏外になった場合には、その操作途中のアクセス要求を予約可能として、その予約したアクセス要求を通信圏内に入った状態で実行可能としたので、通信圏内に復帰した際のキー操作を簡略化することが可能となり、ユーザによる使い勝手を向上することができる。
【００６５】
（第７実施の形態）
図１２は、本発明の第７実施の形態に係る携帯通信端末による画面表示例を示すものである。
【００６６】
本実施の形態は、図１に示す構成において、通信圏内判別手段１７が通信圏内にないと判別したときは、表示制御部１１によりデータ放送表示領域２４にデータ放送の表示に代えて通信回線に接続できない旨を示すポップアップ画面を表示するようにしたものである。
【００６７】
このように、通信圏内にないときは、データ放送表示領域２４にデータ放送の表示に代えて通信回線に接続できない旨のポップアップ画面を表示すれば、ユーザはリンクにアクセスできないことを一目で、容易かつ確実に認識することができるとともに、データ放送が表示されていないので、無駄なキー操作を行うこともなくなる。
【００６８】
なお、本発明は、上記実施の形態に限定されるものではなく、幾多の変形または変更が可能である。例えば、図６に示した第２実施の形態では、通信回線に接続不可能な場合にデータ放送表示領域２４の輪郭２４ａの輝度で低輝度とするように制御したが、例えば通信回線に接続可能な場合には輪郭２４ａをＧ色で表示し、接続不可能な場合には輪郭２４ａをＲ色で表示するなど、輪郭２４ａの表示色を異ならせるようにすることもできる。
【００６９】
また、上述した実施の形態では、通信圏内判別手段１７による判別結果に基づいてデータ放送表示領域２４の表示を制御するようにしたが、データ放送表示領域２４に代えてソフトキー表示領域２５の輝度、表示色（白黒とカラー）、輪郭の表示などを制御するようにすることもできるし、データ放送表示領域２４およびソフトキー表示領域２５の双方の表示を同時に制御するようにすることもできる。
【００７０】
さらに、上述した通信圏内判別手段１７の判別結果に基づくデータ放送表示領域２４および／またはソフトキー表示領域２５の全ての表示制御機能を携帯通信端末に持たせ、ユーザにより所望の表示制御機能をキー操作によって選択させるようにすることもできる。
【００７１】
また、本発明では、デジタル放送の視聴中は、データ放送表示領域２４および／またはソフトキー表示領域２５の表示によって、通信回線に接続可能か否かをユーザに容易に認識させることができるので、ピクト領域２２のアンテナマーク３２を不要とすることもできる。したがって、例えば、図１３に示すように、デジタル放送の視聴中はピクト領域２２を非表示として、この領域を映像表示領域２３に組み入れて映像を表示するようにすることもできる。このようにすれば、映像表示領域２３を大きくできるので、映像を見やすく表示することができる。勿論、ピクト領域２２の表示、非表示は、ユーザの意思によりキー操作で選択できるようにしてもよい。
【００７２】
さらに、本発明は、縦長の表示画面に限らず、横長の表示画面を有する携帯通信端末にも有効に適用することができる。
【００７３】
また、表示手段も有機ＥＬ等の自発光表示デバイスに限らず、液晶表示デバイスを用いることもできる。ただし、液晶表示デバイスを用いて、通信回線状態に応じてデータ放送表示領域２４および／またはソフトキー表示領域２５の輝度を制御する場合には、例えば輝度を制御する領域毎にバックライトを分割して設けたり、あるいは白色光を発光するＬＥＤの二次元アレイをバックライトとして用いて、制御領域に対応するＬＥＤの発光量を制御するなどすればよい。
【図面の簡単な説明】
【００７４】
【図１】本発明の第１実施の形態に係る携帯通信端末の要部の回路構成を示すブロック図である。
【図２】図１に示す表示部における地上デジタル放送の視聴時の画面構成を示す図である。
【図３】第１実施の形態に係る携帯通信端末の要部の動作を示すフローチャートである。
【図４】第１実施の形態における通信回線接続不可能状態でのデータ放送表示領域の画面表示例を示す図である。
【図５】同じく、他の画面表示例を示す図である。
【図６】本発明の第２実施の形態に係る携帯通信端末による画面表示例を示す図である。
【図７】本発明の第３実施の形態に係る携帯通信端末の要部の回路構成を示すブロック図である。
【図８】本発明の第４実施の形態に係る携帯通信端末による画面表示例を示す図である。
【図９】本発明の第５実施の形態に係る携帯通信端末による画面表示例を示す図である。
【図１０】第５実施の形態に係る携帯通信端末の要部の動作を示すフローチャートである。
【図１１】本発明の第６実施の形態に係る携帯通信端末による画面表示例を示す図である。
【図１２】本発明の第７実施の形態に係る携帯通信端末による画面表示例を示す図である。
【図１３】本発明による画面表示の変形例を示す図である。
【図１４】従来の携帯通信端末によるアクセス方法を示すフローチャートである。
【符号の説明】
【００７５】
１  アンテナ部
２  無線部
３  アンテナ部
４  チューナ部
５  復調部
６  分岐部
７  音声処理部
８  映像処理部
９  データ処理部
１０  スピーカ
１１  表示制御部
１２  表示部
１３  記憶部
１４  操作キー部
１５  アクセス要求検出部
１６  制御部
１７  通信圏内判別手段
１８  無線通信制御手段
１９  白黒判定手段
２１  表示画面
２２  ピクト領域
２３  映像表示領域
２４  データ放送表示領域
２４ａ  境界
２５  ソフトキー表示領域
３１  電池マーク
３２  アンテナマーク
３３  現在時刻
【図１】
2007295550.tif 000003
【図２】
2007295550.tif 000004
【図３】
2007295550.tif 000005
【図４】
2007295550.tif 000006
【図５】
2007295550.tif 000007
【図６】
2007295550.tif 000008
【図７】
2007295550.tif 000009
【図８】
2007295550.tif 000010
【図９】
2007295550.tif 000011
【図１０】
2007295550.tif 000012
【図１１】
2007295550.tif 000013
【図１２】
2007295550.tif 000014
【図１３】
2007295550.tif 000015
【図１４】
2007295550.tif 000016